(57)【要約】【課題】遊技盤の取付ける装飾品の機能性およびデザイン性を良くするパチンコ機の成形部品を提供する。【解決手段】装飾品１の後部にインサートピン２を一体に組付けるとき、第１の金型Ｔ１に意匠面１ａを構成し、第２の金型Ｔ２に意匠面１ａに対向して凹部４を形成し、凹部４にインサートピン２をその尖頭２ａ形状の先端を対金型に向けて設置し、インサートピン２の先端を意匠面１ａに接触可能な状態に配して成形した。インサートピン２を使用する装飾品１は、その先端が尖頭２ａに形成されているので、意匠面１ａに近接しても影響を与えず、表面の均一性、デザイン性を向上させる。また、ピン寸法Ｐが安定するため、成形条件での調整が容易になる。【選択図】　　　図１
2004024591.tif 000002
【特許請求の範囲】
【請求項１】
第１の金型にキャビティ面を構成し、第２の金型に前記キャビティ面に対向して凹部を形成し、該凹部にインサートピンをその尖頭形状の先端を前記第１の金型に向けて設置し、該インサートピンの先端を前記第１の金型のキャビティ面に接触可能な状態に配して、インサートピンを合成樹脂と一体にして装飾品を成形したことを特徴とするパチンコ機の成形部品。
【請求項２】
前記キャビティ面が前記装飾品の意匠面であることを特徴とする請求項１記載のパチンコ機の成形部品。
【発明の詳細な説明】
【０００１】
【発明の属する技術分野】
パチンコ機の遊技盤の各所に取付けた装飾品には射出成形で一体成形したものがある。本発明は、これら装飾品を製作するパチンコ機の成形部品に関するものである。
【０００２】
【従来の技術】
従来、パチンコ機の遊技盤には電動チューリップ、役物等が取付けられ、遊技を楽しめるように製作されている。これらは合成樹脂により多彩な形状、色を使用して盤面を賑やかにしている。
役物等の後部には各種部品を組付けたり、回転・直進可能な構造と連結させたりしている。このような後部に合成樹脂を複数突出形成させると成形時の仕上がりが悪くなる虞があり、また、組付け時やメンテナンス時に破損させる虞があるので、製品の後部にインサートピンを突設して突起の代わりに使用されている。
【０００３】
例えば、図２及び図３に示すように、大入賞口を構成する装飾品（合成樹脂部品）１にインサートピン２が使用されている。インサートピン２は位置決めや可動部を支持したりするのに利用される。
【０００４】
インサートピン２を装飾品１に対して一体に設けたとき、従来の金型では、図４に示すように、円柱状のインサートピン２が装飾品１の厚み部をほぼ貫通し、その先端が装飾品１の意匠面１ａに臨むことになる。そこで、この意匠面１ａにシール３を貼ることでインサートピン２の表面露出を解決している。
また、意匠面１ａにインサートピン２を露出させないで成形することもできる。すなわち、図５に示すように、インサートピン２の先端を対向する金型のキャビティ面より離してクリアランスａを設け、そこへ射出圧により溶融樹脂を流し込み、成形することでインサートピン２の先端は装飾品１の意匠面１ａから隠れて一体にされ、シール３を貼る必要もなく、装飾品１の意匠面１ａを成形によって色彩、凹凸を付加することができる。
【０００５】
【発明が解決しようとする課題】
しかしながら、上記の一体成形においては、インサートピン２の先端にクリアランスａがあり、また、インサートピン２を固定しているわけでもないので、ピン位置が不安定になり、金型のインサートピン２を挿入した凹部４からインサートピン２がキャビティ内部に引き込まれる虞がある。インサートピン２が装飾品１の意匠面１ａに近接すると成形時に樹脂圧により意匠面１ａが均一にならない場合を生じる。
【０００６】
また、図５に示す装飾品１の後部から突出するインサートピン２の有効寸法ｐにバラツキが生じ、位置決め合わせが上手く行かなかったり、可動部連結時に整合が取れなかったりする虞がある。
そこで、従来の金型での処置のように、装飾品１の意匠面１ａにシール３を貼ることが考えられるが、以前インサートピン２の有効寸法ｐにバラツキが生じることには変わりなく、また、この面のデザインを良好にしてシール３を貼る必要のないものにすると、シール３でのカバーはできなくなる。
【０００７】
本発明は、遊技盤の取付ける装飾品の機能性およびデザイン性を良くするパチンコ機の成形部品を提供することを目的とする。
【０００８】
【課題を解決するための手段】
本発明は上記目的を達成するために、請求項１に記載の発明は、第１の金型にキャビティ面を構成し、第２の金型に前記キャビティ面に対向して凹部を形成し、該凹部にインサートピンをその尖頭形状の先端を前記第１の金型に向けて設置し、該インサートピンの先端を前記第１の金型のキャビティ面に接触可能な状態に配して、インサートピンを合成樹脂と一体にして装飾品を成形したことを特徴とする。
【０００９】
請求項２の発明は請求項１の発明において、前記キャビティ面が前記装飾品の意匠面であることを特徴とする。
【００１０】
【発明の実施の形態】
以下、本発明の実施の形態を添付図面を参照して説明する。
パチンコ機に設けられる装飾品には、ランプ、役物および電動チューリップなどがあり、支持部材として装飾品と一体に成形されるインサートピンは意匠面に近接して設けているので以下のように処置する。
【００１１】
図１に示すように、装飾品１の後部に取付けるインサートピン２は、円柱状の金属棒の一端を円錐状に形成して尖頭２ａ形状にしている。尖頭２ａ形状においても、両側から先端を切削して側面視二等辺三角形としてもよく、また、本体は円柱状でなく六角柱でもよい。また、尖頭２ａ形状より後方に抜け止め用の溝５が形成されている。なお、インサートピン２の他端を同様に形成させてもよい。
【００１２】
装飾品１の成形時、図１に示すように、第１の金型Ｔ１にキャビティ面（意匠面１ａ）を設け、第２の金型Ｔ２の凹部４に、インサートピン２をその尖頭２ａを第１の金型Ｔ１のキャビティ面に向けて挿入する。型閉めのとき、インサートピン２の尖頭２ａは第１の金型Ｔ１のキャビティ面に接触可能な位置に設定され、従来のインサートピン２の先端と第１の金型Ｔ１のキャビティ面とのクリアランスａは、ここではほとんどない状態に位置決めされている。
インサートピン２の有効寸法ｐは、クリアランスａがないのでバラツキがなくなり、組付け性が良好になる。また、第１の金型Ｔ１のキャビティ面を意匠面１ａとしたとき、意匠面１ａにはインサートピン２の影響がなく、インサートピン先端が製品のどの面に当たっても目立つことがなく、設計の自由度が増し、また、インサートピン２本体の直径を大きくすることもできる。
【００１３】
【発明の効果】
本発明は以上説明したものであるので、請求項１では、パチンコ機の成形部品において、インサートピンを使用する装飾品は、インサートピンの位置が成形時に位置決めされ、その先端が尖頭に形成されているので、金型のキャビティ面に近接しても装飾品の成形表面に影響を与えず、表面の均一性、見栄えを向上させる。また、ピン寸法が安定するため、成形条件での調整が容易になる。
また、請求項２では、キャビティ面を装飾品の意匠面としたので、デザイン性を向上させる。
【図面の簡単な説明】
【図１】本発明による実施の形態の装飾品とインサートピンとの一体成形時の金型の摸式図である。
【図２】従来のパチンコ機の装飾品の斜視図である。
【図３】図２の装飾品の一部裏側の斜視図である。
【図４】従来の装飾品の断面構成図である。
【図５】従来の装飾品の成形時の金型の摸式図である。
【符号の説明】
１　装飾品
２　インサートピン
２ａ　尖頭
Ｔ１　第１の金型
Ｔ２　第２の金型
【図１】
2004024591.tif 000003
【図２】
2004024591.tif 000004
【図３】
2004024591.tif 000005
【図４】
2004024591.tif 000006
【図５】
2004024591.tif 000007